(57)【特許請求の範囲】
【請求項１】
ストリーミングコンテンツを受信するステップと、
前記ストリーミングコンテンツに対応するコンテンツ提供者情報を含む画質制御情報を抽出するステップと、
前記抽出された画質制御情報を用いて、コンテンツ提供者別に前記ストリーミングコンテンツの画質を制御するステップと、
を含み、
前記コンテンツ提供者情報は、コンテンツ提供者別のコンテンツ処理特性に対する情報及び対応するコーデック情報を含む、
映像処理方法。
【請求項２】
前記コンテンツ提供者情報は、さらに、
前記ストリーミングコンテンツのコーデック（Ｃｏｄｅｃ）情報、前記ストリーミングコンテンツのノイズ処理方式及び鮮明度処理方式のうち少なくともいずれか一つを含むことを特徴とする請求項１に記載の映像処理方法。
【請求項３】
前記画質制御情報は、
前記受信されたストリーミングコンテンツのビットレート、画面サイズ、ノイズ量のうち少なくともいずれか一つに対する情報を更に含むことを特徴とする請求項１に記載の映像処理方法。
【請求項４】
前記ストリーミングコンテンツに対応する画質制御情報は、
前記ストリーミングコンテンツに含まれていることを特徴とする請求項１に記載の映像処理方法。
【請求項５】
前記ストリーミングコンテンツに対応する画質制御情報は、
予め保存されていることを特徴とする請求項１に記載の映像処理方法。
【請求項６】
前記コンテンツ提供者は、
ＶＯＤストリーミングコンテンツ提供者又は放送局であることを特徴とする請求項１に記載の映像処理方法。
【請求項７】
ストリーミングコンテンツを受信するデータ送受信部と、
前記ストリーミングコンテンツに対応するコンテンツ提供者情報を含む画質制御情報を抽出する情報処理部と、
前記ストリーミングコンテンツの画質を制御する映像処理部と、
前記抽出された画質制御情報を用いてコンテンツ提供者別に前記ストリーミングコンテンツの画質を制御するように、前記映像処理部を制御する制御部と
を含み、
前記コンテンツ提供者情報は、コンテンツ提供者別のコンテンツ処理特性に対する情報及び対応するコーデック情報を含む、
映像処理装置。
【請求項８】
前記コンテンツ提供者情報は、さらに、
前記ストリーミングコンテンツのコーデック（Ｃｏｄｅｃ）情報、前記ストリーミングコンテンツのノイズ処理方式及び鮮明度処理方式のうち少なくともいずれか一つを含むことを特徴とする請求項７に記載の映像処理装置。
【請求項９】
前記画質制御情報は、
前記受信されたストリーミングコンテンツのビットレート、画面サイズ、ノイズ量のうち少なくともいずれか一つに対する情報を更に含むことを特徴とする請求項７に記載の映像処理装置。
【請求項１０】
前記ストリーミングコンテンツに対応する画質制御情報は、
前記ストリーミングコンテンツに含まれていることを特徴とする請求項７に記載の映像処理装置。
【請求項１１】
前記ストリーミングコンテンツに対応する画質制御情報を保存する保存部を更に含み、
前記制御部は、
前記保存部に保存された画質制御情報を用いて前記ストリーミングコンテンツの画質を制御するように、前記映像処理部を制御することを特徴とする請求項７に記載の映像処理装置。
【請求項１２】
前記コンテンツ提供者は、
ＶＯＤストリーミングコンテンツ提供者又は放送局であることを特徴とする請求項７に記載の映像処理装置。
【発明の詳細な説明】
【技術分野】
【０００１】
本発明は、映像処理装置及びその映像処理方法に関し、より詳細には、ストリーミングコンテンツを処理する映像処理装置及びその映像処理方法に関する。
【背景技術】
【０００２】
最近は、記録媒体として大容量のデータを記録できる光ディスクが広く使われている。特に、高画質の映像データと高音質の音響データに対する需要の増加により、ＨＤＴＶ、ＭＰＥＧ２が登場した。例えば、ＨＤＴＶ級の映画一本に該当する映像データをＭＰＥＧ２の画質でディスクに保存するとしたら、２０ＧＢｙｔｅ以上のデータ保存容量を有する新たな高密度記録媒体が必要となるため、これに対する要求に応えて多くの研究が進められてきた。
【０００３】
このような要求に応じて、ブルーレイディスク（ＢＤ：Ｂｌｕ−ｒａｙ  Ｄｉｓｃ）と高密度デジタルビデオディスク（ＨＤ−ＤＶＤ：Ｈｉｇｈ  Ｄｅｆｉｎｉｔｉｏｎ  Ｄｉｇｉｔａｌ  Ｖｅｒｓａｔｉｌｅ  Ｄｉｓｃ）などが次世代の記録媒体として開発されている。なお、高密度記録媒体規格を応用した光記録及び再生装置の開発も行なわれている状況にある。
【０００４】
一方、光記録及び再生装置の開発傾向によりストリームデータの再生機能も追加されている。ここで、ストリーミングデータというのは一般的にＣＤやＨＤＤのようなストレージメディアでなく、有／無線ネットワークを用いた放送環境でマルチメディアコンテンツを伝送し、同時に再生可能なデータ形態を意味する。
【０００５】
ストリーミングデータは、放送や有／無線インターネットなどで電波の受信状態やネットワーク状態に応じて受信されるデータの質が異なってくる。
【０００６】
具体的に、ストリーミングデータサービスをサポートする会社でネットワーク速度に応じて、解像度サイズを変更したりビットレートを下げて伝送しているため、即ち、ネットワークの速度のみに依存して映像を出力しているため、画質低下が生じるという問題がある。
【先行技術文献】
【特許文献】
【０００７】
【特許文献１】韓国特開第２００９−００７８４５６号公報
【特許文献２】韓国登録特許第０２１４６１１号
【特許文献３】日本特開第２００７−２７９５６号公報
【特許文献４】日本登録特許第４３５０７４２号
【発明の概要】
【発明が解決しようとする課題】
【０００８】
そこで、本発明は、上記問題に鑑みてなされたものであり、本発明の目的とするところは、ストリーミングコンテンツの出力画質を改善できる映像処理装置及びその映像処理方法を提供することにある。
【課題を解決するための手段】
【０００９】
前記目的を達成するための本発明に係る映像処理方法は、ストリーミングコンテンツを受信するステップと、前記ストリーミングコンテンツに対応するコンテンツ提供者情報を含む画質制御情報を抽出するステップと、前記抽出された画質制御情報を用いて前記ストリーミングコンテンツの画質を制御するステップとを含む。
【００１０】
ここで、前記コンテンツ提供者情報は、前記ストリーミングコンテンツのコーデック（Ｃｏｄｅｃ）情報、前記ストリーミングコンテンツのノイズ処理方式及び鮮明度処理方式のうち少なくともいずれか一つを提供しなくてはならない。
【００１１】
なお、前記画質制御情報は、前記受信されたストリーミングコンテンツのビットレート、画面サイズ、ノイズ量のうち少なくともいずれか一つに対する情報を更に含む。
【００１２】
なお、前記ストリーミングコンテンツに対応する画質制御情報は、前記ストリーミングコンテンツに含まれていてよい。
【００１３】
なお、前記ストリーミングコンテンツに対応する画質制御情報は、予め保存されていてよい。
【００１４】
前記コンテンツ提供者は、ＶＯＤストリーミングコンテンツ提供者又は放送局等である。
【００１５】
なお、前記ストリーミングコンテンツの画質を制御するステップは、前記コンテンツ提供者情報及びビットレート、画面サイズ、ノイズ量のうち少なくともいずれか一つに対する情報に対応する加重値を適用して前記ストリーミングコンテンツの画質を制御してよい。
【００１６】
一方、本発明の一実施形態に係るストリーミングコンテンツを受信するデータ送受信部と、前記ストリーミングコンテンツに対応するコンテンツ提供者情報を含む画質制御情報を抽出する情報処理部と、前記ストリーミングコンテンツの画質を制御する映像処理部と、前記抽出された画質制御情報を用いて前記ストリーミングコンテンツの画質を制御するように、前記映像処理部を制御する制御部とを含む。
【００１７】
ここで、前記コンテンツ提供者情報は、前記ストリーミングコンテンツのコーデック（Ｃｏｄｅｃ）情報、前記ストリーミングコンテンツのノイズ処理方式及び鮮明度処理方式のうち少なくともいずれか一つを含む。
【００１８】
なお、前記画質制御情報は、前記受信されたストリーミングコンテンツのビットレート、画面サイズ、ノイズ量のうち少なくともいずれか一つに対する情報を更に含む。
【００１９】
なお、前記ストリーミングコンテンツに対応する画質制御情報は、前記ストリーミングコンテンツに含まれていてよい。
【００２０】
なお、前記ストリーミングコンテンツに対応する画質制御情報を保存する保存部を更に含み、前記制御部は、前記保存部に保存された画質制御情報を用いて前記ストリーミングコンテンツの画質を制御するように、前記映像処理部を制御してよい。
【００２１】
前記コンテンツ提供者は、ＶＯＤストリーミングコンテンツ提供者又は放送局等である。
【００２２】
なお、前記制御部は、前記コンテンツ提供者情報及びビットレート、画面サイズ、ノイズ量のうち少なくともいずれか一つに対する情報に対応する加重値を適用して前記ストリーミングコンテンツの画質を制御するように、前記映像処理部を制御してよい。
【図面の簡単な説明】
【００２３】
【図１】本発明の一実施形態に係るストリーミング形態のサービス提供環境を説明するための図である。
【図２】本発明の一実施形態に係る映像処理装置の構成を示すブロック図である。
【図３】本発明の一実施形態に係るコンテンツ再生装置の構成を示すブロック図である。
【図４】本発明の一実施形態に係る映像処理方法を説明するための図である。
【図５Ａ】本発明の一実施形態に係るコンテンツ提供者情報の多様な例を示す図である。
【図５Ｂ】本発明の一実施形態に係るコンテンツ提供者情報の多様な例を示す図である。
【図５Ｃ】本発明の一実施形態に係るコンテンツ提供者情報の多様な例を示す図である。
【図６】本発明の一実施形態に係る映像処理方法を説明するためのフローチャートである。
【発明を実施するための形態】
【００２４】
以下に添付図面を参照しながら、本発明の好適な実施の形態について詳細に説明する。
【００２５】
図１は、本発明の一実施形態に係るストリーミング形態のサービス提供環境を説明するための図である。図１によると、ストリーミングサービスは、双方向サービスや、放送のような単方向サービスのいずれにも適用可能である。
【００２６】
ネットワーク又は空中波１０の環境下でストリーミングサービスを提供する場合、ストリーミングサーバ２０はストリーミング用のコンテントを適切なフォーマットにエンコーディングした後、圧縮したビットストリームをパケット化して映像処理装置１００に伝送することができる。ここで、映像処理装置１００は、ブルーレイディスクプレーヤ（ＢＤ（Ｂｌｕ−ｒａｙ  Ｄｉｓｃ）  Ｐｌａｙｅｒ）、高密度デジタルビデオディスクプレーヤ（ＨＤ−ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｃ）  Ｐｌａｙｅｒ）のような高密度光ディスクプレーヤ、デジタルテレビなどで実現されてよい。
【００２７】
ストリーミングサーバ２０は、ＶＯＤストリーミングコンテンツをサポートするコンテンツ提供者又はストリーミングデータサービスをサポートする放送局などである。
【００２８】
映像処理装置１００では、ストリーミングサーバ２０の処理の逆順でパケットを処理してストリーミングデータの復号化を行なう。ＰＭＳＢのような衛星放送の場合を例えると、ＡＯＤサービスにおけるＲＴＰパケットのように、オーディオデータをＴＳという形態のパケットデータに加工して配信することができる。
【００２９】
なお、映像処理装置１００では、ストリーミングコンテンツに対応する画質制御情報を用いて画質改善処理を行なうことができる。ここで、画質制御情報は、コーデック情報、コンテンツ提供者のコンテンツ処理特性、ビットレート、画面サイズ、ノイズの度合いなどに関する情報であってよい。ここで、コーデック（Ｃｏｄｅｃ）とは、どのデータストリームや信号に対して、エンコーディングやデコーディング、又は両方全てを行なうことのできる技術のことを意味する。例えば、コーデック技術には、Ｈ．２６４、ＶＣ１などがある。
【００３０】
この場合、コンテンツ提供者は、ＶＯＤストリーミングコンテンツ提供者又は放送局などであってよい。
【００３１】
図２は、本発明の一実施形態に係る映像処理装置の構成を示すブロック図である。図２によると、本映像処理装置１００は、データ送受信部１１０と、情報処理部１２０と、映像処理部１３０と、保存部１４０及び制御部１５０を含む。
【００３２】
本映像処理装置１００は、ストリーミングコンテンツ提供者からマルチメディアデータをストリーム方式で伝送され、受信と同時にストリームデータを再生又は放送するように実現されてよい。このような機能は、通常ライブストリーミングと呼ばれ、ＶＯＤサービスと呼ばれている。
【００３３】
これにより、映像処理装置１００は、ＶＯＤストリーミングデータのようなストリーミングデータを再生するコンテンツ再生装置、又はストリーミングデータを放送するデジタルテレビ、セットトップボックスなどで実現されてよい。ここで、コンテンツ再生装置は、チューナを備える形態で実現されることも可能である。特に、コンテンツ再生装置の場合、ブルーレイディスクプレーヤ（ＢＤ（Ｂｌｕ−ｒａｙ  Ｄｉｓｃ）  Ｐｌａｙｅｒ）、高密度デジタルビデオディスクプレーヤ（ＨＤ−ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｃ）  Ｐｌａｙｅｒ）のような高密度光ディスクプレーヤで実現されてよい。
【００３４】
データ送受信部１１０は、ストリーミングコンテンツを受信する機能を担う。具体的に、データ送受信部１１０はネットワーク又は空中波を介してＶＯＤストリーミングコンテンツ提供者又は放送局からストリーミングコンテンツを受信することができる。
【００３５】
情報処理部１２０は、受信されたストリーミングコンテンツに対応するコンテンツ提供者情報を含む画質制御情報を抽出する機能を担う。ここで、コンテンツ提供者情報は、ストリーミングコンテンツのコーデック（Ｃｏｄｅｃ）情報、コンテンツ提供者のコンテンツ処理特性（Ｐｒｏｐｅｒｔｙ）などを含んでよい。ここで、コンテンツ処理特性とは、コンテンツに対するノイズの除去程度、鮮明度の処理程度などである。例えば、コンテンツ提供者が同様のコーデック情報を有するとしても、コンテンツ処理特性は、コンテンツ提供者毎に相違してよい。
【００３６】
なお、画像制御情報は、ビットレート、画面サイズ、ノイズ量のうち少なくともいずれか一つに対する情報を更に含む。
【００３７】
ここで、ストリーミングコンテンツに対応する画質制御情報は、ストリーミングコンテンツに含まれているか、後述の保存部１４０に予め保存されていてもよい。
【００３８】
なお、情報処理部１２０は、受信されたストリーミングコンテンツにビットレート、画面サイズ、ノイズ量のうち少なくともいずれか一つに対する情報を抽出することができる。
【００３９】
映像処理部１３０は、データ送受信部１１０を介して受信されたストリーミングコンテンツの画質を補償する機能を担う。
【００４０】
制御部１５０は、情報処理部１２０から抽出された画質制御情報に基づいてストリーミングコンテンツの画質を制御するように、映像処理部１３０を制御することができる。即ち、制御部１５０は、情報処理部１２０から抽出されたコンテンツ提供者情報（コーデック情報及び処理特性）、ビットレート、画面サイズ、ノイズ量のうち少なくともいずれか一つに対する情報を用いてストリーミングコンテンツの画質を補償することができる。
【００４１】
保存部１４０は、映像処理装置１００の機能全体を制御するための多様なプログラム及びデータを保存することができる。
【００４２】
特に、保存部１４０は、コンテンツ提供者別のコンテンツ提供者情報を保存することができる。
【００４３】
制御部１５０は、保存部１４０に保存された画質制御情報から受信されたストリーミングコンテンツに対応する画質制御情報を抽出するように、情報処理部１２０を制御することができる。
【００４４】
なお、制御部１５０は、情報処理部１２０により抽出された画質制御情報、即ち、コンテンツ提供者情報及びビットレート、画面サイズ、ノイズ量のうち少なくともいずれか一つに対する情報に対応する加重値を提供してストリーミングコンテンツの画質を補償するように、映像処理部１３０を制御することができる。
【００４５】
一方、上述の実施形態では、保存部１４０に各コンテンツ提供者に対応する画質制御情報が予め保存されている場合を想定して説明したものとして、受信されたコンテンツストリームに含まれている各コンテンツ提供者に対応する画質制御情報を抽出して用いる実施形態では、保存部１４０が当該情報を保存していなくてよい。
【００４６】
これにより、解像度や伝送ビットレートの低下により生じる画質劣化（Ｂｌｏｃｋ  ｎｏｉｓｅ、ｍｏｓｑｕｉｔｏ  ｎｏｉｓｅ、鮮明度の低下など）については上述の画質制御情報を適用することで、最適の画質を補償することができるようになる。
【００４７】
図３は、本発明の一実施形態に係るコンテンツ再生装置の構成を示すブロック図である。図３によると、コンテンツ再生装置２００は、データ送受信部２１０と、情報処理部２２０と、映像処理部２３０と、保存部２４０と、制御部２５０と、入力バッファ２６０と、コーデック部２７０及びユーザインターフェース部２８０を含む。図３に示すような構成要素のうち、図２に示された構成要素と重なる構成要素についてはその詳細な説明を省略する。
【００４８】
データ送受信部２１０は、ストリーミングサーバ２０からストリーミングコンテンツをリアルタイムで受信することができる。
【００４９】
情報処理部２２０は、受信されたストリーミングコンテンツに対応するコンテンツ提供者情報を抽出する機能を担う。
【００５０】
具体的に、情報処理部２２０は、受信されたストリーミングコンテンツに含まれているコンテンツ提供者情報を抽出したり、保存部２４０から受信されたストリーミングコンテンツに対応するコンテンツ提供者情報を抽出することができる。
【００５１】
保存部２４０は、映像処理装置２００の全体的な機能を制御するための制御プログラムを保存する。具体的に、高密度光ディスクの再生、内容探索、記録などの主要プログラム、多様な方式で圧縮されたオーディオ及びビデオデータに対するデコーディング及びエンコーディングを行い、ユーザが視聴できるようにするプログラム、主要プログラムの他の付加機能プログラムなどを保存することができる。
【００５２】
なお、保存部２４０は、コンテンツ提供者の各々に対応するコンテンツ提供者情報を保存することができる。具体的に、保存部２４０は、コンテンツ提供者別のコンテンツ処理特性に対する情報及びそれに対応するＣｏｄｅｃ情報を保存することができる。例えば、Ｎｅｔｆｌｉｘ、Ｂｌｏｃｋｂｕｓｔｅｒ、ＶｕｄｕなどのようなＶＯＤストリーミングコンテンツ提供者別の特性に対する情報、及び、それに対応するＣｏｄｅｃ情報を保存することができる。例えば、Ｂｌｏｃｋｂｕｓｔｅｒ及びＶｕｄｕがＨ．２６４  Ｃｏｄｅｃを使用する情報、ＢｌｏｃｋｂｕｓｔｅｒがＮＲ  ＦｉｌｔｅｒをＶｕｄｕより強く掛けるという情報などコンテンツ提供者別の特性を保存することができる。
【００５３】
映像処理部２３０は、データ送受信部２１０よりストリームパケットが伝達されると、伝達されたストリームパケットのヘッダを分析してオーディオパケット及びビデオパケットで分離し、それを入力バッファ２６０に記録する。ここで、オーディオパケット及びビデオパケットは再びフレーム単位をなすデータで構成されるが、複数個のフレームで構成される。
【００５４】
なお、映像処理部２３０は、受信されたストリームパケットに対する画質改善処理を行なうことができる。
【００５５】
コーデック部２７０は、入力バッファ２６０に記録されたストリームパケットをフレーム毎にデコーディングすることができる。コーデック部２７０でデコーディングされたパケットを再生部（図示せず）によって再生することができる。
【００５６】
ユーザインターフェース部２８０は、リモコンなどからユーザ命令を受信し、受信されたユーザ命令を制御部２５０に伝送する機能を担う。
【００５７】
制御部２５０は、ユーザインターフェース２８０から伝送されたユーザ命令に従って映像処理装置２００の全体的な機能を制御する機能を担う。
【００５８】
特に、制御部２５０は情報処理部２２０から抽出されたストリーミングコンテンツに対応する画質制御情報に基づいて、画質改善処理が行なわれるように、映像処理部２３０を制御することができる。
【００５９】
即ち、制御部２５０は、情報処理部１２０によって抽出された画質制御情報、即ち、コンテンツ提供者情報及びビットレート、画面サイズ、ノイズ量のうち少なくともいずれか一つに対する情報に対応する加重値を適用してストリーミングコンテンツの画質を補償するように、映像処理部２３０を制御することができる。ここで、各情報別の加重値の適用方法については、後述の図４、図５Ａないし図５Ｃで説明する。
【００６０】
なお、映像処理装置２００は、挿入された光ディスクの記録面から記録信号を検出するピックアップ部（図示せず）及びコーデックをアップデートするためのコーデックアップデート部（図示せず）などを更に含んでよい。
【００６１】
図４は、本発明の一実施形態に係る映像処理方法を説明するための図である。図４によると、複数のコンテンツ提供者ＣＰ１、ＣＰ２、ＣＰ３・・・のうちいずれか一つからストリーミングコンテンツが受信されると、受信されたストリーミングコンテンツのＣＰ情報及びＣｏｄｅｃ情報を抽出する。ここで、Ｃｏｄｅｃ情報は、ＣＰ毎に予め保存されていてよい。或いは、Ｃｏｄｅｃ情報は受信されたストリーミングコンテンツに含まれていてもよい。
【００６２】
この場合、ＣＰ情報は、各ＣＰ別のコンテンツ処理方法であってよい。例えば、ＣＰ１はＮＲフィルタを強く適用してよく、ＣＰ２はＣＰ１に比べてＮＲフィルタを弱く適用してよい。このような情報がＣＰ情報に含まれてよい。
【００６３】
Ｃｏｄｅｃ情報は、各ＣＰに対応するＣｏｄｅｃ情報であってよく、例えば、ＣＰ１に対応するＣｏｄｅｃ情報はＨ．２６４であってよく、ＣＰ２に対応するＣｏｄｅｃ情報はＶＣ１であってよい。
【００６４】
図４に示されるように、受信されたストリーミングコンテンツに対応するＣＰ情報（ｗ１）及びＣｏｄｅｃ情報（ｗ２）を保存部又は受信されたストリーミングコンテンツから抽出して当該情報に対応する加重値αを適用することができる。ここで、加重値αは、ＣＰ情報（ｗ１）及びＣｏｄｅｃ情報（ｗ２）に応じて適切に選択されてよい。
【００６５】
次いで、受信されたストリーミングコンテンツに対応するＢｉｔｒａｔｅ情報を抽出することができる。Ｂｉｔｒａｔｅ情報は、受信されたストリーミングコンテンツに含まれてよい。或いは、Ｂｉｔｒａｔｅ情報は、各ＣＰ毎に保存部に予め保存されていてもよい。
【００６６】
図４に示すように、受信されたストリーミングコンテンツに対応するＢｉｔｒａｔｅ情報（ｗ３）を保存部又は受信されたストリーミングコンテンツから抽出して当該情報に対応する加重値βを提供することができる。
【００６７】
次いで、受信されたストリーミングコンテンツのＰｉｃｔｕｒｅ  Ｓｉｚｅ情報を抽出することができる。Ｐｉｃｔｕｒｅ  Ｓｉｚｅ情報は、受信されたストリーミングコンテンツに含まれていてよい。或いは、Ｐｉｃｔｕｒｅ  Ｓｉｚｅ情報は、各ＣＰ毎に保存部に予め保存されていてよい。
【００６８】
図４に示すように、受信されたストリーミングコンテンツに対応するＰｉｃｔｕｒｅ  Ｓｉｚｅ情報（ｗ４）を保存部又は受信されたストリーミングコンテンツから抽出して当該情報に対応する加重値γを適用することができる。
【００６９】
これにより、各画質制御情報に対応する加重値を適用して受信されたストリーミングコンテンツのチューニングレベルを決定できるようになる。
【００７０】
一方、本実施形態では、ＣＰ情報、Ｃｏｄｅｃ情報、Ｂｉｔｅｒａｔｅ情報、Ｐｉｃｔｕｒｅ  ｓｉｚｅ情報が順に画質情報に適用されるものとして説明したが、これは一実施形態に過ぎず、順番はこれに限らない。
【００７１】
図５Ａないし図５Ｃは、本発明の一実施形態に係るコンテンツ提供者情報の多様な例を示す図である。
【００７２】
図５Ａによると、各コンテンツ提供者ＣＰ１、ＣＰ２、・・・、ＣＰｎは、それぞれ対応するＣｏｄｅｃ  ｔｙｐｅにデータを圧縮して伝送することができ、対応するコンテンツ処理特性（Ｐｒｏｐｅｒｔｙ）を有してよい。このような情報は、ストリーミングコンテンツに含まれて伝送するか、映像処理装置１００、２００に予め保存されていてよい。
【００７３】
ここで、Ｃｏｄｅｃ  ｔｙｐｅは、各コンテンツ提供者別に設定されるものであるため、相違していてよく、同一であってよい。
【００７４】
なお、各コンテンツ提供者情報（Ｃｏｄｅｃ  ｔｙｐｅ及びＰｒｏｐｅｒｔｙ）に対応する加重値α１、α２、α３が適用されて画質制御に用いられることができる。一方、本実施形態では、コンテンツ提供者情報に含まれるＣｏｄｅｃ  ｔｙｐｅ及びＰｒｏｐｅｒｔｙに同一の加重値が適用されるものとして説明したが、これは一実施形態に過ぎず、場合によっては、Ｃｏｄｅｃ  ｔｙｐｅ及びＰｒｏｐｅｒｔｙにそれぞれ別の加重値が設定されることも可能である。
【００７５】
図５Ｂによると、各ストリーミングコンテンツのビットレートは、複数個のステップに区分されて画質改善処理に用いられることができる。例えば、ビットレートは、５００Ｋｂｐｓ以下、５００Ｋｂｐｓ〜１５００Ｋｂｐｓ、１５００Ｋｂｐｓ以上の３つのレベルに分類されてよく、各ビットレートのレベルに応じて対応する加重値β１、β２、β３が適用されて画質制御に用いられてよい。
【００７６】
図５Ｃによると、各ストリーミングコンテンツの画面サイズも、複数個のステップに区分されて画質改善処理に用いられることができる。例えば、画面サイズは、ＨＤ級（１２８０＊７２０）、ＳＤ級（７２０＊４８０）、ＳＤ級以下の３つのレベルに分類されてよく、各画面サイズのレベルに応じて対応する加重値γ１、γ２、γ３が適用されて画質制御に用いられてよい。
【００７７】
一方、上述の実施形態では、ビットレート及び画面サイズを３つのレベルに分類して各レベルに対応する加重値を適用するものとして説明したが、これは一実施形態に過ぎず、ビットレート及び画面サイズに応じたレベルは多様に説明されることができる。
【００７８】
図６は、本発明の一実施形態に係る映像処理方法を説明するためのフローチャートである。図６に示された映像処理方法によると、ストリーミングコンテンツを受信すると（Ｓ６１０）、受信されたストリーミングコンテンツに対応するコンテンツ提供者情報を含む画質制御情報を抽出する（Ｓ６２０）。
【００７９】
次いで、抽出された画質制御情報を用いてストリーミングコンテンツの画質を制御する（Ｓ６３０）。ここで、コンテンツ提供者情報は、ストリーミングコンテンツのコーデック情報、ストリーミングコンテンツのノイズ処理方式及び鮮明度処理方式のうち少なくともいずれか一つを含んでよい。なお、画質制御情報は、受信されたストリーミングコンテンツのビットレート、画面サイズ、ノイズ量のうち少なくともいずれか一つに対する情報を更に含んでよい。
【００８０】
この場合、ストリーミングコンテンツに対応する画質制御情報は、ストリーミングコンテンツに含まれていてよい。なお、ストリーミングコンテンツに対応する画質制御情報は予め保存されていてよい。
【００８１】
なお、コンテンツ提供者は、ＶＯＤストリーミングコンテンツ提供者又は放送局等であってよい。
【００８２】
この場合、上述の画質制御情報のうち少なくともいずれか一つに対する情報に対応する加重値を適用してストリーミングコンテンツの画質を制御することができる。
【００８３】
以上説明したように、本発明によると、解像度やビットレートの低下により生じる画質劣化に対して補償することにより、最適な画質を提供することができるようになる。
【００８４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８５】
１０    ネットワーク
２０    ストリーミングサーバ
１００  映像処理装置
１１０、２１０  データ送受信部
１２０、２２０  情報処理部
１３０、２３０  映像処理部
１４０、２４０  保存部
１５０、２５０  制御部
２００  コンテンツ再生装置
２６０  入力バッファ
２７０  コーデック部
２８０  ユーザインターフェース部
【図１】
0005926040.tif 000002
【図２】
0005926040.tif 000003
【図３】
0005926040.tif 000004
【図４】
0005926040.tif 000005
【図５Ａ】
0005926040.tif 000006
【図５Ｂ】
0005926040.tif 000007
【図５Ｃ】
0005926040.tif 000008
【図６】
0005926040.tif 000009